(57)【要約】【課題】複数の硬貨を円滑かつ適切に処理することが可能な硬貨処理システムを提供する。【解決手段】貨幣処理システムは、入金される硬貨を撮像するカメラと、操作表示部と、記憶部と、制御部と、を備える。制御部は、複数の硬貨の入金があるとき、カメラにより撮像された複数の硬貨の画像４４２ｃを含む入金処理画面４４０を操作表示部に表示させ、各画像４４２ｃに対する金種を入力するための項目４４２ｄを、各画像４４２ｃに対応付けられた形態で入金処理画面４４０上に設定し、各画像４４２ｃと、当該画像４４２ｃに対して入力された金種とを対応付けて記憶部に記憶させる。【選択図】図１０
2019212134.tif 000002
【特許請求の範囲】
【請求項１】
入金される貨幣を撮像する撮像部と、
表示部と、
記憶部と、
制御部と、を備え、
前記制御部は、複数の貨幣の入金があるとき、
前記撮像部により撮像された複数の貨幣の画像を含む入力画面を前記表示部に表示させ、
各前記画像に対する少なくとも金種を含む貨幣情報を入力するための入力領域を、各前記画像に対応付けられた形態で前記入力画面上に設定し、
各前記画像と、当該画像に対して入力された前記貨幣情報とを対応付けて前記記憶部に記憶させる、
ことを特徴とする貨幣処理システム。
【請求項２】
前記制御部は、前記入力領域を、各前記画像の近傍位置に視認可能に設定する、
ことを特徴とする請求項１に記載の貨幣処理システム。
【請求項３】
前記貨幣情報は、複数の候補の中から選択により入力され、
前記制御部は、選択入力された前記貨幣情報を前記入力領域に表示させる、
ことを特徴とする請求項１または２に記載の貨幣処理システム。
【請求項４】
前記制御部は、
前記画像に基づいて、当該画像の貨幣に適合する前記貨幣情報を判定し、
前記貨幣情報が選択入力される際、適合の可能性の高い前記貨幣情報を、選択順が上位となる候補とする、
ことを特徴とする請求項３に記載の貨幣処理システム。
【請求項５】
前記制御部は、
前記貨幣情報が選択入力される際、前記複数の候補を前記入力画面上に表示させ、
前記選択順が上位となる候補を、他の候補よりも強調させる、または、それら候補の並び順における上位の位置に配置させる、
ことを特徴とする請求項４に記載の貨幣処理システム。
【請求項６】
前記制御部は、
前記画像に基づいて、当該画像の貨幣に適合する前記貨幣情報を判定し、
判定した前記貨幣情報を前記入力領域に表示させる、
ことを特徴とする請求項１ないし６の何れか一項に記載の貨幣処理システム。
【請求項７】
前記制御部は、
入金された貨幣の重なりの有無を判定し、
貨幣の重なりがある場合に、それに基づく表示を前記入力画面上に行う、
ことを特徴とする請求項１ないし６の何れか一項に記載の貨幣処理システム。
【請求項８】
複数の貨幣を載置できる載置部を、さらに備え、
前記撮像部は、前記載置部に載置された前記複数の貨幣を撮像する、
ことを特徴とする請求項１ないし７の何れか一項に記載の貨幣処理システム。
【請求項９】
入金される貨幣を撮像する撮像部と、
表示部と、
制御部と、を備え、
前記制御部は、複数の貨幣の入金があるとき、
前記撮像部により撮像された複数の貨幣の画像を含む入力画面を前記表示部に表示させ、
各前記画像に対する少なくとも金種を含む貨幣情報を入力するための入力領域を、各前記画像に対応付けられた形態で前記入力画面上に設定する、
ことを特徴とする貨幣処理装置。
【請求項１０】
入金される複数の貨幣を撮像部により撮像し、
前記撮像部により撮像された複数の貨幣の画像を含む入力画面を表示部に表示し、
各前記画像に対する少なくとも金種を含む貨幣情報を入力するための入力領域を、各前記画像に対応付けられた形態で前記入力画面上に設定し、
各前記画像と、当該画像に対して入力された前記貨幣情報とを対応付けて記憶部に記憶する、
ことを特徴とする貨幣処理方法。
【発明の詳細な説明】
【技術分野】
【０００１】
本発明は、貨幣を処理する貨幣処理システムおよび貨幣処理装置に関する。また、本発明は、これら貨幣処理システムおよび貨幣処理装置に用いて好適な貨幣処理方法に関する。
【背景技術】
【０００２】
従来、損貨（変形硬貨、汚損硬貨）や記念貨等の、市場流通に適さない特殊な硬貨を取り扱う硬貨処理装置が知られている。たとえば、このような硬貨処理装置の一例が、特許文献１に開示されている。
【０００３】
特許文献１の硬貨処理装置では、入金口を介して筐体内部にある入金位置に一枚の硬貨が載置される。載置された硬貨は、入金位置においてカメラで撮像される。そしてこの画像は、硬貨の種類および金種に関する候補とともに表示部の入力画面上に表示される。操作者は、硬貨の画像を見ながら、その硬貨の種類および金種を複数の候補の中から選択する。硬貨の種類および金種が選択されると、これら情報が画像に紐付けられて記憶部に記憶される。その後、硬貨は、損貨であるか記念貨であるかに応じて、損貨箱または記念貨箱に振り分けて収納される。
【先行技術文献】
【特許文献】
【０００４】
【特許文献１】特開２０１５−０１８３０４号公報
【発明の概要】
【発明が解決しようとする課題】
【０００５】
上記の硬貨処理装置では、入金対象の硬貨が複数枚ある場合に、１枚ずつ上記の操作が繰り返される。このため、ユーザにとって、入金操作が面倒であり、入金時間も長く掛かりやすい。
【０００６】
特に、複数枚の硬貨について、それらの画像を一度にまたは連続して撮影するような構成が採られた場合であっても、入力画面が一枚の硬貨にしか対応していない場合には、一枚の硬貨についての選択処理が終わる度に入力画面を切り替えながら複数枚の硬貨について選択処理を行っていかなければならず、やはり、入金操作が面倒であり、入金時間も長く掛かりやすい。
【０００７】
なお、旧券、損傷券等の特殊な紙幣を取り扱う紙幣処理装置についても、上記の硬貨処理装置と同様な入金操作が行われるため、上記のような課題が生じ得る。
【０００８】
かかる課題に鑑み、本発明は、複数の貨幣を円滑かつ適切に処理することが可能な貨幣処理システム、貨幣処理装置および貨幣処理方法を提供することを目的とする。
【課題を解決するための手段】
【０００９】
本発明の第１の態様は、貨幣処理システムに関する。この態様に係る貨幣処理システムは、入金される貨幣を撮像する撮像部と、表示部と、記憶部と、制御部と、を備える。ここで、前記制御部は、複数の貨幣の入金があるとき、前記撮像部により撮像された複数の貨幣の画像を含む入力画面を前記表示部に表示させ、各前記画像に対する少なくとも金種を含む貨幣情報を入力するための入力領域を、各前記画像に対応付けられた形態で前記入力画面上に設定し、各前記画像と、当該画像に対して入力された前記貨幣情報とを対応付けて前記記憶部に記憶させる。
【００１０】
たとえば、貨幣には、損貨（損傷硬貨）、旧貨（旧硬貨）、記念貨（記念硬貨）、損券（損傷紙幣）および旧券（旧紙幣）のうち、少なくとも何れか一つが含まれる。
【００１１】
上記の構成によれば、操作者は、複数の貨幣の画像に対する貨幣情報の入力を一つの入力画面上で行うことができる。これにより、操作者は、貨幣の入金操作を円滑に行え、入金時間も短縮できる。
【００１２】
本態様に係る貨幣処理システムにおいて、前記制御部は、前記入力領域を、各前記画像の近傍位置に視認可能に設定するような構成とされ得る。
【００１３】
上記の構成によれば、操作者は、貨幣の画像に対応付けられた入力領域を容易に認識できる。
【００１４】
なお、特許請求の範囲の請求項２において、「近傍位置」には、入力領域の一部が貨幣の画像に重なる程度に近づいた位置が含まれる。
【００１５】
本態様に係る貨幣処理システムにおいて、前記貨幣情報は、複数の候補の中から選択により入力され得る。この場合、前記制御部は、選択入力された前記貨幣情報を前記入力領域に表示させる。
【００１６】
上記の構成によれば、操作者は、候補の中からの選択により貨幣情報を容易に入力できる。また、操作者は、入力された貨幣情報を入力領域において確認できる。
【００１７】
上記の構成とされた場合、さらに、前記制御部は、前記画像に基づいて、当該画像の貨幣に適合する前記貨幣情報を判定し、前記貨幣情報が選択入力される際、適合の可能性の高い前記貨幣情報を、選択順が上位となる候補とするような構成とされ得る。
【００１８】
たとえば、前記制御部は、前記貨幣情報が選択入力される際、前記複数の候補を前記入力画面上に表示させ、前記選択順が上位となる候補を、他の候補よりも強調させる、または、それら候補の並び順における上位の位置に配置させる。
【００１９】
このような構成とされれば、操作者は、貨幣情報を素早く入力できる。
【００２０】
本態様に係る貨幣処理システムにおいて、前記制御部は、前記画像に基づいて、当該画像の貨幣に適合する前記貨幣情報を判定し、判定した前記貨幣情報を前記入力領域に表示させるような構成とされ得る。
【００２１】
このような構成とされれば、入力領域に表示された貨幣情報が、対応する画像の貨幣情報に適合している場合に、操作者は、その画像についての貨幣情報を入力しなくて済む。よって、操作者は、貨幣の入金操作を一層円滑に行え、入金時間も一層短縮できる。
【００２２】
本態様に係る貨幣処理システムにおいて、前記制御部は、入金された貨幣の重なりの有無を判定し、貨幣の重なりがある場合に、それに基づく表示を前記入力画面上に行うような構成とされ得る。
【００２３】
上記の構成によれば、操作者は、入金された貨幣の中に重なる貨幣が存在することを入力画面上において把握できるので、不具合が生じたまま入金操作が継続されることを防止できる。
【００２４】
本態様に係る貨幣処理システムにおいて、複数の貨幣を載置できる載置部を、さらに備えるような構成が採られ得る。この場合、前記撮像部は、前記載置部に載置された前記複数の貨幣を撮像する。
【００２５】
上記の構成によれば、複数の貨幣を撮像する時間を短縮できるので、入金時間を一層短縮できる。
【００２６】
本発明の第２の態様は、貨幣処理装置に関する。この態様に係る貨幣処理装置は、入金される貨幣を撮像する撮像部と、表示部と、制御部と、を備える。ここで、前記制御部は、複数の貨幣の入金があるとき、前記撮像部により撮像された複数の貨幣の画像を含む入力画面を前記表示部に表示させ、各前記画像に対する少なくとも金種を含む貨幣情報を入力するための入力領域を、各前記画像に対応付けられた形態で前記入力画面上に設定する。
【００２７】
上記の構成によれば、第１の態様と同様の効果が奏され得る。
【００２８】
本発明の第３の態様は、貨幣処理方法に関する。この態様に係る貨幣処理方法は、入金される複数の貨幣を撮像部により撮像し、前記撮像部により撮像された複数の貨幣の画像を含む入力画面を表示部に表示し、各前記画像に対する少なくとも金種を含む貨幣情報を入力するための入力領域を、各前記画像に対応付けられた形態で前記入力画面上に設定し、各前記画像と、当該画像に対して入力された前記貨幣情報とを対応付けて記憶部に記憶する。
【００２９】
上記の構成によれば、第１の態様と同様の効果が奏され得る。
【発明の効果】
【００３０】
上記のように、本発明によれば、複数の貨幣を円滑かつ適切に処理することが可能な貨幣処理システム、貨幣処理装置および貨幣処理方法を提供できる。
【００３１】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３２】
【図１】図１は、第１実施形態に係る貨幣処理システムの外観を示す正面図である。
【図２】図２（ａ）、（ｂ）は、第１実施形態に係る特殊硬貨処理装置の構成を示す斜視図である。
【図３】図３（ａ）、（ｂ）は、第１実施形態に係る特殊硬貨処理装置の構成および動作を模式的に示す断面図である。
【図４】図４（ａ）、（ｂ）は、第１実施形態に係る特殊硬貨処理装置の具体的構成を示す斜視図である。
【図５】図５（ａ）は、第１実施形態に係る、硬貨載置ユニットを取り除いた特殊硬貨処理装置の構成を示す斜視図である。図５（ｂ）、（ｃ）は、それぞれ、第１実施形態に係る、硬貨載置ユニットを上側および下側から見た斜視図である。
【図６】図６は、第１実施形態に係る、特殊硬貨処理装置の構成を示す断面図である。
【図７】図７（ａ）、（ｂ）は、第１実施形態に係る、載置面に載置された硬貨の側面画像を模式的に示す図である。
【図８】図８は、第１実施形態に係る特殊硬貨処理装置および操作端末の構成を示すブロック図である。
【図９】図９は、第１実施形態に係る、特殊硬貨の入金処理を示すフローチャートである。
【図１０】図１０（ａ）〜（ｄ）は、それぞれ、第１実施形態に係る、特殊硬貨の入金処理の際に操作端末において表示される画面を示す図である。
【図１１】図１１（ａ）、（ｂ）は、第１実施形態に係る、硬貨の画像に対して金種を設定するための操作を模式的に示す図である。
【図１２】図１２は、第１実施形態に係る、詳細画面を示す図である。
【図１３】図１３は、第１実施形態に係る、詳細画面の他の表示形態を示す図である。
【図１４】図１４は、第２実施形態に係る、有価媒体処理装置の内部構成を示す概要図である。
【図１５】図１５は、第２実施形態に係る、有価媒体処理装置の主たる構成を示すブロック図である。
【図１６】図１６は、第２実施形態に係る、損券等の特殊紙幣の入金処理を示すフローチャートである。
【図１７】図１７（ａ）〜（ｃ）は、それぞれ、第２実施形態に係る、特殊紙幣の入金処理の際に操作端末の操作表示部において表示される画面を示す図である。図１７（ｄ）は、第２実施形態に係る、入金処理画面において、刷種項目および金種項目に対するドラッグの操作がなされたときの刷種および金種の変化について説明するための図である。
【図１８】図１８（ａ）〜（ｄ）は、変更例１に係る、特殊硬貨の入力処理において操作表示部に表示される入金処理画面が、処理の進行に応じて遷移する様子を示す図である。
【図１９】図１９（ａ）は、変更例２に係る、特殊硬貨の入金処理において操作表示部に表示される入金処理画面を示す図である。図１９（ｂ）〜（ｄ）は、変更例２に係る、ウィンドウの他の例を示す図である。
【図２０】図２０は、変更例３に係る、特殊硬貨の入金処理において操作表示部３０１に表示される入金処理画面を示す図である。
【図２１】図２１は、さらに他の変更例に係る特殊硬貨処理装置の構成を示すブロック図である。
【発明を実施するための形態】
【００３３】
以下、本発明の実施形態について、図面を参照して説明する。
【００３４】
本実施形態において、第１載置領域２１および第２載置領域２２が、特許請求の範囲に記載の「載置部」に対応する。また、カメラ５１および読取部５３０が、特許請求の範囲に記載の「撮像部」に対応する。さらに、操作表示部３０１が、特許請求の範囲に記載の「表示部」に対応する。さらに、入金処理画面４４０、４８０が、特許請求の範囲に記載の「入力画面」に対応する。さらに、項目４４２ｄ、刷種項目４８２ｂおよび金種項目４８２ｃが、特許請求の範囲に記載の「入力領域」に対応する。
【００３５】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００３６】
＜第１実施形態＞
図１は、貨幣処理システム１の外観を示す正面図である。
【００３７】
貨幣処理システム１は、バラ紙幣処理装置２と、束紙幣処理装置３と、バラ硬貨処理装置４と、包装硬貨処理装置５と、有価媒体処理装置６と、特殊硬貨処理装置７と、操作端末８と、貨幣保管装置９と、を備える。
【００３８】
バラ紙幣処理装置２は、バラ紙幣を金種別に収納できる紙幣収納部を有し、バラ紙幣を紙幣収納部へ入金する入金処理や紙幣収納部からバラ紙幣を出金する出金処理を行う。束紙幣処理装置３は、所定枚数（たとえば、１００枚）のバラ紙幣を結束して束紙幣（帯封紙幣）を形成する束紙幣形成部と、束紙幣を収納する束紙幣収納部とを有する。束紙幣処理装置３は、バラ紙幣処理装置２と接続されており、バラ紙幣処理装置２から送られてきたバラ紙幣をもとに束紙幣形成部で束紙幣を生成して外部に投出し、あるいは、生成した束紙幣を束紙幣収納部に収納する。
【００３９】
バラ硬貨処理装置４は、バラ硬貨を金種別に収納できる硬貨収納部を有し、バラ硬貨を硬貨収納部へ入金する入金処理や硬貨収納部からバラ硬貨を出金する出金処理を行う。包装硬貨処理装置５は、所定枚数（たとえば、５０枚）のバラ硬貨を包装して包装硬貨を形成する包装硬貨形成部と、包装硬貨を収納する包装硬貨収納部とを有する。包装硬貨処理装置５は、バラ硬貨処理装置４と接続されており、バラ硬貨処理装置４から送られてきたバラ硬貨をもとに包装硬貨形成部で包装硬貨に生成して外部に投出し、あるいは、生成した包装硬貨を装硬貨収納部に収納する。
【００４０】
有価媒体処理装置６は、バラ紙幣処理装置２および束紙幣処理装置３で取り扱われない有価媒体の処理を行う。具体的には、有価媒体処理装置６は、損券収納部、有価証券収納部を有し、現在発行されていない紙幣である旧券、市場流通に適さない損券および汚れや破れによってバラ紙幣処理装置２で処理できない損傷券を損券収納部に対して入出金する処理、および、小切手や手形などの特定の有価証券を有価証券収納部に対して入出金する処理を行う。また、有価媒体処理装置６は、新券収納部を有し、未使用の紙幣である新券を新券収納部から出金する処理を行う。
【００４１】
特殊硬貨処理装置７は、損貨（変形貨幣、汚損貨幣）、旧貨、記念貨等の市場流通に適さない特殊な硬貨を取り扱う。これら特殊な硬貨は、バラ硬貨処理装置４では、取り扱うことができない。
【００４２】
操作端末８は、操作表示部３０１と、プリンタ３０２とを備える。ユーザは、操作端末８を用いて、バラ紙幣処理装置２、束紙幣処理装置３、バラ硬貨処理装置４、包装硬貨処理装置５、有価媒体処理装置６、特殊硬貨処理装置７および貨幣保管装置９に対する入金処理のための操作や出金処理のための操作を行う。
【００４３】
貨幣保管装置９は、損貨（変形貨幣、汚損貨幣）、旧貨、記念貨等の市場の流通に適さない特殊な硬貨等の保管に用いられる。また、貨幣保管装置９は、束紙幣処理装置３に収納しきらない束紙幣や包装硬貨処理装置５に収納しきらない包装硬貨の保管に用いられる。
【００４４】
図２（ａ）、（ｂ）は、特殊硬貨処理装置７の構成を示す斜視図である。
【００４５】
特殊硬貨処理装置７は、直方体形状の筐体１０により、外郭が形成される。筐体１０の上部前側に開口１１が形成されている。この開口１１が、シャッター１２により開閉される。図２（ａ）には、開口１１がシャッター１２により閉じられた状態が示され、図２（ｂ）には、開口１１が開放された状態が示されている。シャッター１２は、筐体１０の左右の内側面に形成されたガイド溝１３に沿って、前後方向に移動可能に筐体１０に支持されている。
【００４６】
シャッター１２が開放されると、左右に並ぶ第１載置領域２１と第２載置領域２２が、外部に露出する。第１載置領域２１と第２載置領域２２は、仕切り２３によって仕切られている。第１載置領域２１の直下に、第１載置領域２１に載置された硬貨を収納するための第１収納庫３１が前方に引き出し可能に設置されている。また、第２載置領域２２の直下に、第２載置領域２２に載置された硬貨を収納するための第２収納庫３２が前方に引き出し可能に設置されている。すなわち、第１載置領域２１と第２載置領域２２にそれぞれ対応付けられて、第１収納庫３１と第２収納庫３２が設けられている。
【００４７】
本実施形態では、第１載置領域２１が損貨の載置領域に設定され、第２載置領域２２が記念貨の載置領域に設定されている。したがって、第１収納庫３１には損貨が収納され、第２収納庫３２には記念貨が収納される。第１収納庫３１と第２収納庫３２の真上の位置に、それぞれ、第１載置領域２１と第２載置領域２２に載置されるべき硬貨の種類を示すラベル３３、３４が付設されている。操作者は、これらのラベル３３、３４を参照することにより、第１載置領域２１と第２載置領域２２に載置されるべき硬貨の種類を把握できる。
【００４８】
図３（ａ）、（ｂ）は、特殊硬貨処理装置７の構成および動作を模式的に示す断面図である。図３（ａ）、（ｂ）には、それぞれ、図２（ａ）のＡ−Ａ’断面図が示されている。図３（ａ）は、第１載置領域２１と第２載置領域２２に対象の硬貨が載置された後、シャッター１２が閉じられた直後の状態が示され、図３（ｂ）には、その後、収納動作が開始された状態が示されている。
【００４９】
図３（ａ）、（ｂ）に示すように、第１載置領域２１は、枠部材２４と載置部材２５とで構成されている。枠部材２４の内側面は、仕切り２３の側面とともに、第１載置領域２１の内側面を構成し、載置部材２５の上面は、第１載置領域２１の底面、すなわち、第１載置領域２１における硬貨の載置面を構成する。枠部材２４は、筐体１０内部に固定され、載置部材２５は、前後に移動可能に、支持フレーム４１に支持されている。支持フレーム４１には、枠部材２４の内側面と第１収納庫３１とを連通させる開口４１ａが設けられている。第２載置領域２２も、図３（ａ）、（ｂ）と同様の構成である。
【００５０】
シャッター１２の上部内側面には、第１載置領域２１および第２載置領域２２の両方を画角に含むカメラ５１が設置されている。すなわち、第１載置領域２１および第２載置領域２２に載置された硬貨は、全て、１つのカメラ５１で同時に撮像される。この他、筐体１０の内部には、第１載置領域２１および第２載置領域２２を照明するための発光ユニット（図示せず）が設置されている。
【００５１】
図３（ａ）の状態から、載置部材２５が図示しない駆動機構により後方に移動されると、第１載置領域２１の底面が徐々に開放される。これにより、図３（ｂ）に示すように、硬貨Ｃ１が、開放された底面から開口４１ａを介して第１収納庫３１の内部に落下する。載置部材２５は、前端が枠部材２４の後端側の内側面の位置まで移動する。これにより、第１載置領域２１に載置された全ての硬貨Ｃ１が、第１収納庫３１の内部に落下して、第１収納庫３１に収納される。第２載置領域２２に載置された硬貨も、同様の動作により、第２収納庫３２に収納される。
【００５２】
ところで、図３（ｂ）に示した硬貨の収納動作は、図３（ａ）の状態において、カメラ５１で撮像された各硬貨の撮像画像に対し、操作者が、所定の金種を割り当てた後、確定操作を行うことにより実行される。ここで、各硬貨の撮像画像は、硬貨ごとに切出されて、操作端末８に表示される。操作者は、操作端末８に表示された各硬貨の撮像画像を目視で確認しつつ、各撮像画像に当該硬貨の金種を設定する。その後、操作者が、操作端末８に対して確定操作を入力することにより、各撮像画像に金種が紐づけられて、操作端末８の記憶部に記憶される。こうして、各硬貨が管理される。
【００５３】
しかし、このとき、複数の硬貨が重なった状態で、第１載置領域２１または第２載置領域２２の載置面に載置されることが起こり得る。この場合、下側の硬貨が、上側の硬貨に隠れて、カメラ５１で撮像されないことがある。こうして撮像された画像を参照しても、操作者は、下側の硬貨の存在に気づかずに、実際に撮像された硬貨に対してのみ、金種の選択および入金のための確定処理を行うことになってしまう。これにより、違算が生じ得る。
【００５４】
そこで、本実施形態では、第１載置領域２１および第２載置領域２２に載置された硬貨の重なりを検出するための構成が設けられている。以下、この構成について、図４（ａ）〜図６を参照して説明する。便宜上、図４（ａ）〜図６では、より詳細な構成を示すために、新たな番号体系で各部材に番号が付されている。
【００５５】
図４（ａ）、（ｂ）は、特殊硬貨処理装置７の具体的構成を示す斜視図である。
【００５６】
図４（ａ）、（ｂ）には、筐体１０内に収容された構造体の構成が示されている。図４（ａ）は、載置部材１３２が最も前方に移動した状態を示し、図４（ｂ）は、載置部材１３２が最も後方に移動した状態を示している。
【００５７】
特殊硬貨処理装置７は、支持フレーム１０１と、壁板１１１、１２１と、硬貨載置ユニット１３０と、仕切り１４１と、駆動機構１５０とを備えている。
【００５８】
支持フレーム１０１は、金属材料から構成され、底板の左右両端から側板１０１ａ、１０１ｂが立ち上がった形状を有する。支持フレーム１０１の上部に、壁板１１１、１２１が前後に並ぶように設置されている。これら壁板１１１、１２１に仕切り１４１が設置されている。壁板１１１の上端１１１ａ、１１１ｂは、それぞれ、載置部材１３１、１３２の上面に沿った形状を有し、載置部材１３１、１３２の上面よりも上方に突出している。壁板１２１の下端１２１ａ、１２１ｂは、それぞれ、載置部材１３１、１３２の上面に沿った形状を有し、載置部材１３１、１３２の上面よりも上方に僅かに後退している。
【００５９】
支持フレーム１０１の後端から前方に延びるようにガイド部材１０２が設置されている。また、支持フレーム１０１の左右の側板１０１ａ、１０１ｂの内側面に、それぞれ、前後に延びるガイド部材１０３が設置されている。ガイド部材１０２、１０３によって、硬貨載置ユニット１３０が、前後に移動可能に、支持フレーム１０１に支持されている。
【００６０】
図５（ａ）は、図４（ａ）、（ｂ）の構造体から硬貨載置ユニット１３０を取り除いた構成を示す斜視図である。図５（ｂ）、（ｃ）は、それぞれ、硬貨載置ユニット１３０を上側および下側から見た斜視図である。
【００６１】
図５（ｂ）、（ｃ）に示すように、硬貨載置ユニット１３０は、載置部材１３１、１３２と、ベース部材１３３と、ラックギア１３４と、を備える。ベース部材１３３の上面前方に載置部材１３１、１３２が、左右に並ぶように設置されている。また、ベース部材１３３の上面後方にラックギア１３４が前後に延びるように設置されている。ベース部材１３３の前側には、左右方向の中央位置に、前後に延びる切欠き１３６が設けられている。この切欠き１３６を下方から覆うように、矩形のカバー１３７が設置されている。
【００６２】
ベース部材１３３は、平面視において長方形の形状を有する。ベース部材１３３の外縁は、全周に亘って立ち上げられている。ベース部材１３３の左右の側面に、それぞれ、ローラ１３５が２つずつ設けられている。また、カバー１３７の下面にも、２つのローラ１３８が設けられている。
【００６３】
載置部材１３１には、３つの載置面１３１ａが所定の段差で形成されている。これら３つの載置面１３１ａは、所定の段差で一方向に変位するように、すなわち、隣り合う載置面１３１ａの高さ方向における変位の方向が全ての隣り合う載置面１３１ａにおいて同じであるように配置されている。具体的には、最も右側の載置面１３１ａに対して右から２番目の載置面１３１ａが上方向の変位しており、右から２番目の載置面１３１ａに対して最も左側の載置面１３１ａが上方向に変位している。
【００６４】
これら３つの載置面１３１ａは、水平面に対して、右側が低くなるように、所定の角度（数度程度）だけ傾いている。各載置面１３１ａの左右方向の幅は、載置面１３１ａに対する載置対象の硬貨のうち直径が最大の硬貨の直径よりもやや大きい。また、各載置面１３１ａの前後方向の幅は、載置対象の硬貨のうち直径が最大の硬貨の直径よりも大きく、本実施形態では複数枚（たとえば、４枚）載置可能に設定されている。
【００６５】
隣り合う載置面１３１ａ間の段差によって、これら載置面１３１ａの境界に壁面１３１ｂが形成されている。壁面１３１ｂの高さ方向の幅は、載置面１３１ａに対する載置対象の硬貨のうち厚みが最大の硬貨の厚みよりも大きい。また、各載置面１３１ａの右側端部には、上方に突出する突部１３１ｃが前後に延びるように形成されている。この突部１３１ｃによって、載置面１３１ａから硬貨が滑り落ちることが規制される。
【００６６】
載置部材１３２には、２つの載置面１３２ａが所定の段差で形成されている。
【００６７】
これら２つの載置面１３２ａは、所定の段差で一方向に変位するように、すなわち、一方の載置面１３２ａに対して他方の載置面１３２ａが、段差をもって所定の一方向に変位するように配置されている。具体的には、左側の載置面１３２ａに対して右側の載置面１３１ａが上方向の変位している。
【００６８】
これら２つの載置面１３２ａは、水平面に対して、左側が低くなるように、所定の角度（数度程度）だけ傾いている。各載置面１３２ａの左右方向の幅は、載置面１３２ａに対する載置対象の硬貨のうち直径が最大の硬貨の直径よりもやや大きい。また、各載置面１３２ａの前後方向の幅は、載置対象の硬貨のうち直径が最大の硬貨の直径よりも大きく、本実施形態では複数枚（たとえば、２枚）載置可能に設定されている。
【００６９】
隣り合う載置面１３２ａ間の段差によって、これら載置面１３２ａの境界に壁面１３２ｂが形成されている。壁面１３２ｂの高さ方向の幅は、載置面１３２ａに対する載置対象の硬貨のうち厚みが最大の硬貨の厚みよりも大きい。また、各載置面１３２ａの左側端部には、上方に突出する突部１３２ｃが前後に延びるように形成されている。この突部１３２ｃによって、載置面１３２ａから硬貨が滑り落ちることが規制される。
【００７０】
硬貨載置ユニット１３０は、左右のローラ１３５がそれぞれ、左右に並ぶ一対のガイド部材１０３に嵌められ、さらに、下面のローラ１３８がガイド部材１０２に嵌められることにより、支持フレーム１０１に支持される。このとき、仕切り１４１の下端がベース部材１３３の切欠き１３６に嵌まる。また、ラックギア１３４が、駆動機構１５０のギア１５２に噛み合う。こうして、図４（ａ）の構造体が構成される。
【００７１】
図４（ａ）に戻り、駆動機構１５０は、モータ１５１とギア１５２を備える。駆動機構１５０は、支持フレーム１０１とは別の部材に固定されている。モータ１５１の駆動に応じてギア１５２が駆動される。これにより、駆動力がギア１５２からラックギア１３４に伝達されて、硬貨載置ユニット１３０が前後に移動される。
【００７２】
図４（ａ）において、第１載置領域２１は、壁板１１１、１２１と、側板１０１ａと、仕切り１４１と、載置部材１３１とで構成される。壁板１１１、１２１の内側面と、側板１０１ａの内側面と、仕切り１４１の左側面とによって、第１載置領域２１の内側面が構成され、載置部材１３１の上面、すなわち、載置面１３１ａによって第１載置領域２１の底面が構成される。
【００７３】
また、第２載置領域２２は、壁板１１１、１２１と、側板１０１ｂと、仕切り１４１と、載置部材１３２とで構成される。壁板１１１、１２１の内側面と、側板１０１ｂの内側面と、仕切り１４１の右側面とによって、第２載置領域２２の内側面が構成され、載置部材１３２の上面、すなわち、載置面１３２ａによって第２載置領域２２の底面が構成される。
【００７４】
図４（ａ）の状態から、モータ１５１が駆動されて、硬貨載置ユニット１３０が図４（ｂ）の位置に移動すると、第１載置領域２１および第２載置領域２２の底を構成する載置部材１３１、１３２が後方に退避し、第１載置領域２１および第２載置領域２２に、第１収納庫３１および第２収納庫３２に繋がる開口１０１ｃ、１０１ｄが生じる。このとき、載置部材１３１、１３２に載置されていた硬貨は、壁板１２１によって移動を制限される。これにより、載置部材１３１、１３２に載置されていた硬貨は、開口１０１ｃ、１０１ｄを介して、第１収納庫３１および第２収納庫３２に落下する。こうして、これら硬貨が、第１収納庫３１および第２収納庫３２に収容される。本実施形態では、第１載置領域２１に載置された損貨が第１収納庫３１に収容され、第２載置領域２２に載置された記念貨が第２収納庫３２に収容される。
【００７５】
図６は、図４（ａ）の構造体のＢ−Ｂ’断面図である。
【００７６】
図６に示すように、カメラ５１によって、第１載置領域２１の載置面１３１ａおよび第２載置領域２２の載置面１３２ａの全てが撮像されるよう、カメラ５１と載置面１３１ａ、１３２ａが配置されている。具体的には、カメラ５１の画角αの範囲に全ての載置面１３１ａ、１３２ａが含まれるように、カメラ５１と載置面１３１ａ、１３２ａが配置されている。カメラ５１は、仕切り１４１の前後方向の中央位置の直上に配置されている。
【００７７】
図６に示すように、仕切り１４１の両側面は傾斜面となっている。これら傾斜面にそれぞれ平板状のミラー１４２、１４３が設置されている。ミラー１４２、１４３の傾斜角は、カメラ５１の撮像方向を載置面１３１ａ、１３２ａに平行な方向に折り曲げるように設定される。図６において、カメラ５１から下方に向かう破線の矢印は、ミラー１４２、１４３に向かうカメラ５１の撮像方向を示している。これにより、載置面１３１ａ、１３２ａに載置された硬貨の側面の像が、ミラー１４２、１４３を介してカメラ５１に取り込まれる。
【００７８】
図７（ａ）、（ｂ）は、載置面１３１ａに載置された硬貨Ｃ１の側面画像を模式的に示す図である。図７（ａ）は、全ての硬貨Ｃ１が重なりなく載置面１３１ａに載置された状態を示し、図７（ｂ）は、一部の硬貨Ｃ１が重なって載置面１３１ａに載置された状態を示している。
【００７９】
図７（ａ）において、Ｄ１は、隣り合う載置面１３１ａ間の段差であり、Ｄ２は、硬貨Ｃ１の厚みである。段差Ｄ１は、厚みＤ２よりも大きい。突部１３１ｃによって硬貨Ｃ１の下部が隠された状態で硬貨Ｃ１が撮像される。このため、硬貨Ｃ１の側面画像は、本来の厚みＤ２よりも小さい厚みＤ３となる。硬貨Ｃ１に重なりがない場合、硬貨Ｃ１の上側には、次の載置面１３１ａに形成された突部１３１ｃの上端までの範囲において、厚みＤ４の壁面１３１ｂが撮像される。
【００８０】
これに対し、図７（ｂ）の状態では、２段目の載置面１３１ａにおいて、２枚の硬貨Ｃ１の重なりが、２カ所生じている。この場合、重なりＶ１の位置では、その上段の載置面１３１ａに載置された硬貨Ｃ１との境界となる壁面１３１ｂが生じないため、３つの硬貨が重なった厚みＤ５の側面画像が撮像される。また、重なりＶ２の位置では、２つの硬貨が重なった厚みＤ６の側面画像が撮像される。
【００８１】
このように、重なりが生じた場合の硬貨Ｃ１の側面画像の厚みＤ５、Ｄ６は、重なりがない場合の硬貨Ｃ１の側面画像の厚みＤ３に比べて、顕著に大きくなる。したがって、厚みＤ３と厚みＤ６との間に閾値を設け、この閾値と各載置位置の硬貨の側面画像の厚みとを比較することにより、各載置位置において硬貨の重なりが生じているか否かを検出することができる。ここで、閾値は、載置面１３１ａの載置され得る全ての金種の硬貨に対して重なりが検出可能となるように設定される。
【００８２】
なお、載置面１３２ａに載置された硬貨の側面画像は、図７（ａ）、（ｂ）の場合に比べて、載置面１３２ａの段数が２つに減少するのみであり、その他の要素は、図７（ａ）、（ｂ）の場合と同様である。よって、載置面１３２ａに載置された硬貨の重なりについても、上記と同様、側面画像の厚みを所定の閾値と比較することにより検出され得る。
【００８３】
図８は、特殊硬貨処理装置７および操作端末８の構成を示すブロック図である。
【００８４】
特殊硬貨処理装置７は、撮像処理部２０１と、シャッター駆動部２０２と、ユニット駆動部２０３と、通信部２０４と、制御部２０５と、記憶部２０６と、を備える。
【００８５】
撮像処理部２０１は、制御部２０５からの制御によりカメラ５１を駆動するとともに、カメラ５１からの画像データを処理して制御部２０５に送信する。シャッター駆動部２０２は、シャッター１２を駆動するためのモータおよび駆動回路を備え、制御部２０５からの制御により、シャッター１２を開閉する。ユニット駆動部２０３は、図４（ａ）、（ｂ）に示した駆動機構１５０および駆動回路を備え、制御部２０５からの制御により、硬貨載置ユニット１３０を駆動する。通信部２０４は、制御部２０５からの制御により、操作端末８の通信部３０４との間で無線方式あるいは有線方式による通信を行う。
【００８６】
制御部２０５は、ＣＰＵ（Central Processing Unit）等の演算回路を備え、記憶部２０６に記憶されたプログラムに従って、撮像処理部２０１、シャッター駆動部２０２、ユニット駆動部２０３および通信部２０４を制御する。記憶部２０６は、ＲＯＭ（Read Only Memory）、ＲＡＭ（Random Access Memory）やハードディスク等の記憶媒体を備え、制御部２０５の制御プログラムを記憶し、また、制御部２０５の制御処理の際にワーク領域として利用される。
【００８７】
操作端末８は、上述した操作表示部３０１およびプリンタ３０２の他、カードリーダ３０３、通信部３０４、制御部３０５および記憶部３０６を備える。
【００８８】
操作表示部３０１は、ディスプレイ３０１ａとタッチセンサ３０１ｂとを備えたタッチパネルで構成される。ディスプレイ３０１ａは、各種情報を表示する。タッチセンサ３０１ｂは、ディスプレイ３０１ａに対するユーザのタッチ操作を検出する。プリンタ３０２は、バラ紙幣処理装置２、束紙幣処理装置３、バラ硬貨処理装置４、包装硬貨処理装置５、有価媒体処理装置６、特殊硬貨処理装置７および貨幣保管装置９に対する入金処理、出金処理等の各種処理の結果を、ジャーナルとして用紙に印字し出力する。
【００８９】
カードリーダ３０３は、ＩＤカードを読み取り、読み取ったデータを制御部３０５に出力する。通信部３０４は、特殊硬貨処理装置７の通信部２０４との間で無線方式あるいは有線方式による通信を行う。この他、通信部３０４は、バラ紙幣処理装置２、束紙幣処理装置３、バラ硬貨処理装置４、包装硬貨処理装置５、有価媒体処理装置６および貨幣保管装置９の各通信部との間で無線方式あるいは有線方式による通信を行う。
【００９０】
制御部３０５は、ＣＰＵ等の演算回路を備え、記憶部３０６に記憶されたプログラムに従って、操作表示部３０１、プリンタ３０２、カードリーダ３０３、通信部３０４を制御する。さらに、制御部３０５は、通信部３０４を介して、バラ紙幣処理装置２、束紙幣処理装置３、バラ硬貨処理装置４、包装硬貨処理装置５、有価媒体処理装置６、特殊硬貨処理装置７および貨幣保管装置９との間で各種の指令や情報のやり取りを行うことにより、これら装置の動作を制御する。
【００９１】
記憶部３０６は、ＲＯＭ、ＲＡＭやハードディスク等の記憶媒体を備え、制御部３０５の制御プログラムを記憶し、また、制御部３０５の制御処理の際にワーク領域として利用される。さらに、記憶部３０６は、損貨および記念貨の参照画像（表面および裏面）と金種とを対応付けた硬貨画像データベース３０６ａを保持している。硬貨画像データベース３０６ａは、硬貨の種類（損貨／記念貨）ごとに準備されている。硬貨画像データベース３０６ａは、カメラ５１により撮像された硬貨の画像の金種を判定する際に、制御部３０５により参照される。
【００９２】
次に、特殊硬貨処理装置７へ特殊な硬貨である損貨および記念貨を入金するための処理について説明する。
【００９３】
図９は、損貨等の特殊硬貨の入金処理を示すフローチャートである。図１０（ａ）〜（ｄ）は、それぞれ、特殊硬貨の入金処理の際に操作端末８の操作表示部３０１において表示される画面を示す図である。図９の入金処理は、操作端末８の制御部３０５において実行される。
【００９４】
特殊硬貨の入金処理において、操作者は、まず、図１０（ａ）に示すメニュー画面４１０を操作する。メニュー画面４１０には、処理項目の選択候補を表示する領域４１１が含まれている。操作者は、領域４１１中の“特殊貨幣”の処理項目を選択した後、領域４１２に含まれた貨幣の種類の中から、処理対象とされる損貨／旧貨および記念貨の項目を選択する。損貨／旧貨および記念貨の項目がハイライト表示される。さらに、領域４１３に、当該硬貨の入金を行うための特殊硬貨処理装置７の画像４１３ａが表示される。操作者は、画像４１３ａを参照することにより、どの装置に対して入金を行えばよいかを円滑に把握できる。その後、操作者は、ボタン４１４を操作する。これにより、図９に示す処理が開始される。
【００９５】
制御部３０５は、特殊硬貨処理装置７の制御部２０５に対して、シャッター１２を開放させる指示を送信する（Ｓ１０１）。これにより、特殊硬貨処理装置７のシャッター１２が開放される。また、制御部３０５は、操作表示部３０１にセット要求画面４２０を表示させる（Ｓ１０２）。これにより、操作表示部３０１の画面が、図１０（ａ）のメニュー画面４１０から図１０（ｂ）のセット要求画面４２０に切り替わる。
【００９６】
図１０（ｂ）を参照して、領域４２１には、図１０（ａ）の領域４１１と同様の画像が含まれる。領域４２２には、特殊硬貨処理装置７の硬貨載置領域における硬貨の種類の割り当て形態を示す画像４２２ａが表示される。ここでは、左側の硬貨載置領域（第１載置領域２１）が損貨を載置するための領域に割り当てられ、右側の硬貨載置領域（第２載置領域２２）が記念貨を載置するための領域に割り当てられている。操作者は、画像４２２ａを参照することにより、各載置領域に載置すべき硬貨の種類を的確に把握できる。
【００９７】
領域４２３には、特殊硬貨処理装置７に処理対象の硬貨をセットすること、および、セット完了後にボタン４２４を操作することを促すメッセージ４２３ａが含まれる。操作者は、メッセージ４２３ａを参照して、特殊硬貨処理装置７の第１載置領域２１および第２載置領域２２に、それぞれ、処理対象の損貨および記念貨を載置する。処理対象の全ての損貨および記念貨をセットすると、操作者は、ボタン４２４を操作する。これにより、図９のステップＳ１０３の判定がＹＥＳとなる。
【００９８】
こうして、ステップＳ１０３の判定がＹＥＳとなると、制御部３０５は、特殊硬貨処理装置７の制御部２０５に対して、シャッター１２を閉塞させる指示を送信する（Ｓ１０４）。これにより、特殊硬貨処理装置７のシャッター１２が閉塞される。さらに、制御部３０５は、特殊硬貨処理装置７の制御部２０５に対して、硬貨を撮像させる指示を送信する（Ｓ１０５）。これにより、特殊硬貨処理装置７において、第１載置領域２１および第２載置領域２２に載置された硬貨が、カメラ５１により撮像される。こうして撮像された画像のデータが、通信部２０４、３０４を介して、特殊硬貨処理装置７から操作端末８に送信される。制御部３０５は、受信したデータを、記憶部３０６に記憶させる。
【００９９】
次に、制御部３０５は、受信した画像のデータを処理して、当該画像に含まれる各硬貨の画像を切り出す（Ｓ１０６）。このとき、制御部３０５は、切り出した各硬貨の画像に対して歪み補正を行い、真円に近い各硬貨の画像を取得する。そして、制御部３０５は、歪み補正後の各硬貨の画像と、硬貨画像データベース３０６ａに保持された基準画像とを照合して、各硬貨の画像の金種を識別する（Ｓ１０７）。
【０１００】
具体的には、制御部３０５は、各硬貨の画像について、マッチング度合いが所定の閾値以上で且つ最高の基準画像を硬貨画像データベース３０６ａから抽出し、この基準画像に対応付けられた金種を、当該硬貨の画像に割り当てる。このとき、制御部３０５は、各硬貨の画像に割り当てられた基準画像が、損貨と記念貨の何れの種類に属するかを示す区分を、各硬貨の画像にさらに割り当てる。また、マッチング度合いが閾値以上の基準画像がない硬貨の画像については、金種が不明との識別結果が割り当てられる。
【０１０１】
こうして各硬貨の画像について金種を識別した後、制御部３０５は、第１載置領域２１および第２載置領域２２に対して、対応する種類（損貨／記念貨）の硬貨が適正にセットされたか否かを判定する（Ｓ１０８）。すなわち、制御部３０５は、各硬貨の画像に割り当てられた硬貨の種類の区分を参照し、損貨が載置されるべき第１載置領域２１から取得された各硬貨の画像の何れかに記念貨の区分が割り当てられた場合、および、記念貨が載置されるべき第２載置領域２２から取得された各硬貨の画像の何れかに損貨の区分が割り当てられた場合に、第１載置領域２１および第２載置領域２２に対して硬貨の置き間違いが生じたと判定する。
【０１０２】
硬貨の置き間違いが生じた場合（Ｓ１０８：ＹＥＳ）、制御部３０５は、図１０（ｃ）に示す確認要求画面４３０を操作表示部３０１に表示させる（Ｓ１０９）。確認要求画面４３０では、図１０（ｂ）に示したセット要求画面４２０に領域４３１の画像が重ねて表示される。領域４３１には、硬貨の置き間違いがあること、および、硬貨の再セットを行うことを促すメッセージ４３１ａと、ボタン４３２が含まれる。操作者は、メッセージ４３１ａを参照して、硬貨の置き間違いを把握した後、ボタン４３２を操作する。これにより、図９のステップＳ１１０の判定がＹＥＳとなる。
【０１０３】
これに応じて、制御部３０５は、処理をステップＳ１０１に戻して、ステップＳ１０１以降の処理を再度実行する。これにより、特殊硬貨処理装置７のシャッター１２が開放されて、硬貨の置き直しが可能となる。操作者は、ステップＳ１０２で表示されるセット要求画面４２０等を参照しながら、適正な載置領域に硬貨を置き直す。その後、操作者は、上記と同様の操作を行う。
【０１０４】
硬貨の置き間違いがない場合（Ｓ１０８：ＮＯ）、制御部３０５は、図１０（ｄ）に示す入金処理画面４４０を、操作表示部３０１に表示させる（Ｓ１１１）。
【０１０５】
図１０（ｄ）を参照して、入金処理画面４４０は、領域４４１〜４４３と、ボタン４４４〜４４６とを含んでいる。領域４４１には、硬貨の入金結果４４１ａ、４４１ｂが金種ごとに表示される。領域４４２には、撮像画像から切り出された各硬貨の画像（平面画像）４４２ｃが表示される。表示される各硬貨の画像４４２ｃは、上述の歪み補正後の画像である。領域４４２は、損貨の画像を表示させるためのタブ４４２ａと、記念貨の画像を表示させるためのタブ４４２ｂとを備えている。タブ４４２ａが選択されると、第１載置領域２１にセットされた損貨の各画像が表示され、タブ４４２ｂが選択されると、第２載置領域２２にセットされた記念貨の各画像が表示される。
【０１０６】
硬貨の各画像４４２ｃの直下の位置に、各画像の金種を示す項目４４２ｄが表示される。項目４４２ｄは、硬貨に係る情報の一つである金種を入力するために制御部３０５に設定された、視認可能な（画像で表現された）入力領域である。入金処理画面４４０の表示開始時には、図９のステップＳ１０７で識別された各硬貨の画像４４２ｃの金種が、最初の候補として項目４４２ｄに表示される。ステップＳ１０７で金種が不明と判定された硬貨の画像４４２ｃには、“？”の記号が項目４４２ｄに表示される。“？”の記号が付された画像４４２ｃ以外の画像４４２ｃについて、金種ごとに枚数が計数され、計数結果が、入金結果４４１ａ、４４１ｂとして、領域４４１に表示される。なお、領域４４１に、金種が不明の硬貨の枚数が表示されてもよく、合計金額が表示されてもよい。領域４４２には、画像４４２ｃをスクロールさせるためのスクロールバー４４２ｅが設けられている。
【０１０７】
なお、金種を示す項目４４２ｄは、必ずしも、各画像４４２ｃの直下に配置されなくてもよく、画像４４２ｃに対応付けられた形態であれば、他の位置に配置されてもよい。たとえば、画像４４２ｃの一部に重なるように項目４４２ｄが配置されてもよい。
【０１０８】
操作者は、項目４４２ｄに対する操作により、各硬貨の画像４４２ｃの金種を設定（入力）できる。
【０１０９】
図１１（ａ）、（ｂ）は、硬貨の画像４４２ｃに対して金種を設定するための操作を模式的に示す図である。
【０１１０】
たとえば、金種が不明と識別された画像４４２ｃに対して金種を設定する場合、操作者は、まず、当該画像４４２ｃを参照して、当該画像４４２ｃの硬貨の金種を目視により確認する。次に、操作者は、図１１（ａ）に示すように、当該画像４４２ｃに対応付けられた項目４４２ｄに指でタッチし、そのまま指を下方にドラッグ（スライド）させる。これにより、ドラッグの距離に応じて項目４４２ｄに表示される金種が変化する。
【０１１１】
たとえば、損貨のタブ４４２ａが選択されている状態で、指を所定距離だけドラッグさせると、項目４４２ｄの金種が１円となり、さらに指を所定距離だけドラッグさせると、項目４４２ｄの金種が５円となる。その後、同様に、指を所定距離だけドラッグさせるごとに、項目４４２ｄの金種が、１０円、５０円、１００円、５００円と変化する。記念貨のタブ４４２ｂが選択されている状態で、指を所定距離だけドラッグさせると、項目４４２ｄの金種が１００円となり、さらに指を所定距離だけドラッグさせると、項目４４２ｄの金種が５００円となる。その後、同様に、指を所定距離だけドラッグさせるごとに、項目４４２ｄの金種が、千円、１万円、５万円、１０万円と変化する。指を逆方向（上方）にドラッグさせると、金種の変化が反転する。
【０１１２】
こうして、操作者は、画像４４２ｃに対応する金種が項目４４２ｄに表示されるまで、指をドラッグさせる。そして、画像４４２ｃに対応する金種が項目４４２ｄに表示されると、操作者は、指を画面から離す。これにより、図１１（ｂ）のように、項目４４２ｄに金種が設定される。このようにして、操作者は、複数の金種の候補の中から選択により画像４４２ｃに適合する金種を入力できる。
【０１１３】
このとき、操作者により金種が設定された項目４４２ｄは、図９のステップＳ１０７で金種が識別された項目４４２ｄと区別可能な形態で表示される。たとえば、操作者により金種が設定された項目４４２ｄは、他の項目４４２ｄ（金種が不明な項目、金種が識別された項目）とは異なる色が付されて表示される。なお、金種が不明な項目４４２ｄが、金種が識別された項目４４２ｄと異なる形態、たとえば、異なる色で表示されるようにしてもよい。
【０１１４】
操作者は、金種が不明と識別された他の画像４４２ｃについても、同様の操作により金種を設定する。また、操作者は、図９のステップＳ１０７で金種が識別された項目４４２ｄについても、適宜、上記と同様の操作により、金種を修正する。こうして、各画像４４２ｃの金種が操作者により設定されると、これに応じて、領域４４１に表示される各金種の入金結果４４１ａ、４４１ｂが更新される。
【０１１５】
なお、図１１（ａ）、（ｂ）に示した例では、指をドラッグ（スライド）させることにより金種の候補が変更されたが、金種の候補を変化させる方法は、これに限られるものではない。たとえば、項目４４２ｄをタップするごと、あるいはフリックするごとに金種の候補が変化する構成であってもよい。
【０１１６】
図１０（ｄ）に戻り、領域４４３には、硬貨の側面画像４４３ａ、４４３ｂが含まれている。側面画像４４３ａは、図６のミラー１４２を介して撮像された第１載置領域２１における硬貨の側面画像である。また、側面画像４４３ｂは、図６のミラー１４３を介して撮像された第２載置領域２２における硬貨の側面画像である。側面画像４４３ａ、４４３ｂの何れかにおいて、硬貨の重なりが検出されると、ボタン４４３ｃが表示される。
【０１１７】
すなわち、制御部３０５は、図７（ａ）、（ｂ）を参照して説明した方法により、第１載置領域２１および第２載置領域２２に載置された硬貨に重なりが生じたか否かを判定する。図９に示されていないが、硬貨の重なりの判定は、たとえば、Ｓ１０６の画像の切り出しの処理と切り出した画像の歪み補正の処理の間に行われる。そして、制御部３０５は、第１載置領域２１および第２載置領域２２の少なくとも一方において硬貨の重なりを検出した場合に、領域４４３にボタン４４３ｃを含める。第１載置領域２１および第２載置領域２２の何れにも硬貨の重なりを検出しなかった場合、制御部３０５は、ボタン４４３ｃの表示を省略する。
【０１１８】
側面画像４４３ａ、４４３ｂを参照することにより、操作者は、第１載置領域２１および第２載置領域２２における硬貨の重なりの有無を確認できる。
【０１１９】
硬貨の重なりを確認する際に、操作者は、適宜、図１０（ｄ）のボタン４４４を操作する。これにより、操作表示部３０１のディスプレイ３０１ａ全体に、図１２に示す詳細画面４５０が表示される。
【０１２０】
詳細画面４５０には、カメラ５１の撮像画像の全体が表示される。領域４５１ａ、４５１ｂには、それぞれ、第１載置領域２１および第２載置領域２２を上方から撮像した画像が表示される。領域４５１ｃ、４５１ｄには、それぞれ、第１載置領域２１および第２載置領域２２に載置された硬貨の側面画像、すなわち、ミラー１４２、１４３を介して撮像された硬貨の側面画像が表示される。
【０１２１】
領域４５１ｃ、４５１ｄに表示される側面画像は、ディスプレイ３０１ａの表示領域の略全体に表示されるため、図１０（ｄ）の入金処理画面４４０において表示される側面画像４４３ａ、４４３ｂよりも拡大される。よって、操作者は、この詳細画面４５０を参照することにより、各硬貨の重なりを、より正確に確認することができる。確認の後、操作者は、ボタン４５２を操作する。これにより、画面が、図１０（ｄ）の入金処理画面４４０に戻る。
【０１２２】
図１２に示した詳細画面においては、たとえば、図１３に示すように、重なりが検出された箇所を強調表示することとしてもよい。強調表示の形態は、図１３に示すように枠で囲む形態の他、色を付与する等の他の形態であってもよい。また、図１０（ｄ）に示した側面画像４４３ａ、４４３ｂについても同様に、重なりが検出された箇所が強調表示されてもよい。
【０１２３】
なお、操作者は、領域４４２に対する金種の設定操作の際にも、適宜、ボタン４４４を操作して、詳細画面４５０を表示させる。これにより、操作者は、各画像の金種をより円滑に目視により確認することができる。
【０１２４】
図１２に示すように、切り出しが済んでいる硬貨は、丸印４５３により囲まれる。切り出されなかった硬貨には丸印４５３が付されない。切り出されなかった硬貨が、詳細画面４５０上でタップされる。このとき、タップは硬貨の中心なされる。制御部３０５は、タップの中心から所定範囲（最大の硬貨のサイズより大きな範囲）の画像を切り出し、切り出した画像を、次に入金処理画面４４０が表示されたときに、領域４２２に、硬貨の画像４４２ｃとして加える。このようにすれば、図９のＳ１０６で切り出せなかった画像を、入金処理画面４４０に加えることが可能となる。
【０１２５】
詳細画面４５０は、ピンチなどの操作により拡大できてもよい。この場合、拡大された画面が、スライドなどの操作により移動できるようにされてもよい。
【０１２６】
図９に戻り、制御部３０５は、入金処理画面４４０を表示させた後（Ｓ１１１）、金種受付処理（Ｓ１１２）および詳細確認受付処理（Ｓ１１３）を実行する。金種受付処理（Ｓ１１２）において、制御部３０５は、図１１（ａ）、（ｂ）に示した操作を受け付け、操作者により当該操作がなされた場合に、上記のように、項目４４２ｄの金種を変更する。また、詳細確認受付処理（Ｓ１１３）において、制御部３０５は、図１０（ｄ）のボタン４４４に対する操作を受け付け、ボタン４４４に対する操作がなされた場合に、図１２に示した詳細画面４５０を表示させる。
【０１２７】
ステップＳ１１２、Ｓ１１３の処理とともに、制御部３０５は、入金処理画面４４０に対して、操作者により、やりなおし操作または重なり確認操作がなされたか否かを判定する（Ｓ１１４）。具体的には、制御部３０５は、入金処理画面４４０中のボタン４４５またはボタン４４３ｃが操作者により操作されたか否かを判定する。
【０１２８】
操作者は、側面画像４４３ａ、４４３ｂまたは図１２に示した詳細画面４５０を参照して硬貨の重なりが生じたことを確認した場合に、ボタン４４３ｃを操作する。これにより、制御部３０５は、ステップＳ１１４の判定をＹＥＳとして、処理をステップＳ１０１に戻す。これに応じて、特殊硬貨処理装置７のシャッター１２が開放される。これにより、操作者は、第１載置領域２１または第２載置領域２２にアクセスして、硬貨の重なりを解消させる。
【０１２９】
この場合にも、図１３に示すように重なりが検出された箇所を強調表示することで、操作者は容易に硬貨の重なりを解消できる。
【０１３０】
なお、硬貨の重なり生じたと判定された場合に、ボタン４４３ｃが操作されなければ確定のボタン４４６を受け付けないようにしてもよい。この場合、ボタン４４３ｃが操作されると、セットをやり直すか否かを問い合わせる確認画面が表示される。確認画面においてセットをやり直す操作が行われると、処理がステップＳ１０１に戻され、セットをやり直さない操作が行われると、確認画面が消えて、ボタン４４６が受け付けられるようになる。このようにすれば、硬貨の重なりの確認が、操作者によって確実に行われるようになる。
【０１３１】
操作者は、処理対象の硬貨の一部を第１載置領域２１または第２載置領域２２にセットし忘れた場合、あるいは、ボタン４４３ｃが表示されていないものの図１２の詳細画面４５０により硬貨の重なりを見つけた場合等、入金処理をやり直す必要性を確認した場合、ボタン４４５を操作する。これにより、制御部３０５は、ステップＳ１１４の判定をＹＥＳとして、処理をステップＳ１０１に戻す。これに応じて、特殊硬貨処理装置７のシャッター１２が開放される。これにより、操作者は、第１載置領域２１または第２載置領域２２にアクセスして、硬貨入金のための操作をやり直す。
【０１３２】
やりなおし操作および重なり確認操作の何れも行われることなく（Ｓ１１４：ＮＯ）、図１０（ｄ）の入金処理画面４４０において、操作者により、全ての硬貨の画像４４２ｃに対して金種が設定され、その後、処理を確定させるボタン４４６が操作されると（Ｓ１１５：ＹＥＳ）、制御部３０５は、入金確定処理を実行する（Ｓ１１６）。入金確定処理において、制御部３０５は、各硬貨の画像４４２ｃと項目４４２ｄに設定された金種、即ち入力された金種とを対応付けて、記憶部３０６に記憶させる。このとき同時に、制御部３０５は、領域４４１に示された入金結果４４１ａ、４４１ｂを記憶部３０６に記憶させる。
【０１３３】
こうして、入金確定処理を完了すると、制御部３０５は、通信部３０４を介して、処理の完了を示す通知を特殊硬貨処理装置７に送信する。これに応じて、特殊硬貨処理装置７の制御部２０５は、ユニット駆動部２０３を制御して、硬貨載置ユニット１３０を最後方位置へと移送させる。これにより、第１載置領域２１および第２載置領域２２に載置された硬貨が、それぞれ、第１収納庫３１および第２収納庫３２に落下して収納される。その後、制御部２０５は、硬貨載置ユニット１３０を最前方位置（初期位置）へと移送させる。これにより、硬貨の入金処理が終了する。
【０１３４】
＜実施形態の効果＞
本実施形態によれば、以下の効果が奏され得る。
【０１３５】
制御部３０５は、複数の硬貨の入金があるとき、カメラ５１により撮像された複数の硬貨の画像４４２ｃを含む入金処理画面４４０を操作表示部３０１に表示させ、各画像４４２ｃに対する金種を入力するための項目４４２ｄを、各画像４４２ｃに対応付けられた形態で入金処理画面４４０上に設定し、各画像４４２ｃと、当該画像４４２ｃに対して入力された金種とを対応付けて記憶部３０６に記憶させる。この構成によれば、操作者は、複数の硬貨の画像に対する金種の入力を一つの入金処理画面４４０上で行うことができる。これにより、操作者は、複数枚の硬貨の入金操作を円滑に行え、入金時間も短縮できる。
【０１３６】
また、制御部３０５は、項目４４２ｄを、各画像４４２ｃの近傍位置に視認可能に設定する。この構成によれば、操作者は、硬貨の画像４４２ｃに対応付けられた項目４４２ｄ（金種の入力場所）を容易に認識できる。
【０１３７】
さらに、金種は、複数の候補の中から選択により入力され、制御部３０５は、選択入力された金種を項目４４２ｄに表示させる。この構成によれば、操作者は、候補の中からの選択により金種を容易に入力できる。また、操作者は、入力された金種を項目４４２ｄにおいて確認できる。
【０１３８】
さらに、制御部３０５は、硬貨の画像に基づいて、当該画像の硬貨に適合する金種を判定し（貨幣の金種を識別し）、判定した金種（識別した金種）を最初の候補として項目４４２ｄに表示させる。この構成によれば、最初の候補の金種が、対応する画像４４２ｃの金種に適合している場合に、操作者は、その画像４４２ｃについての金種を入力しなくて済む。よって、操作者は、硬貨の入金操作を一層円滑に行え、入金時間も一層短縮できる。
【０１３９】
さらに、制御部３０５は、入金された硬貨の重なりの有無を判定し、硬貨の重なりがある場合に、それに基づく、確認を促すボタン４４３ｃの表示を入金処理画面４４０上に行う。この構成によれば、操作者は、入金された硬貨の中に重なる硬貨が存在することを入金処理画面４４０上において把握できるので、不具合が生じたまま入金操作が継続されることを防止できる。
【０１４０】
さらに、複数の硬貨を載置できる第１載置領域２１および第２載置領域２２を、さらに備え、カメラ５１は、第１載置領域２１および第２載置領域２２に載置された複数の硬貨を撮像する。この構成によれば、複数の硬貨を撮像する時間を短縮できるので、入金時間を一層短縮できる。
【０１４１】
＜第２実施形態＞
本実施形態では、特殊硬貨処理装置７に対する特殊硬貨の入金操作と同様な旧券、損傷券等の入金操作が、有価媒体処理装置６に対して行われる。
【０１４２】
図１４は、有価媒体処理装置６の内部構成を示す概要図である。
【０１４３】
有価媒体処理装置６は、筐体５００内に、投入部５１０と、搬送部５２０と、読取部５３０と、一時保留部５４０と、有価証券収納部５５０と、第１損券収納部５６０と、第２損券収納部５７０と、新券収納部５８０と、投出部５９０とを備える。
【０１４４】
投入部５１０は、筐体５００の前上部に設けられる。投入部５１０には、繰出機構５１１が設けられ、投入部５１０に束状態で投入された特定有価媒体（損券、損傷券、旧券、有価証券）が、繰出機構５１１によって、一枚ずつ搬送部５２０に繰り出される。
【０１４５】
搬送部５２０は、第１搬送部５２１と第２搬送部５２２とを含む。第１搬送部５２１は、投入部５１０と、一時保留部５４０と、有価証券収納部５５０と、第１損券収納部５６０と、第２損券収納部５７０と、投出部５９０とを結び、投入部５１０に投入された特定有価媒体を、一時保留部５４０や有価証券収納部５５０、第１損券収納部５６０、第２損券収納部５７０へ搬送したり、第１損券収納部５６０や第２損券収納部５７０に収納された損券等を投出部５９０へ搬送したりする。第２搬送部５２２は、新券収納部５８０と投出部５９０とを結び、新券収納部５８０に収納された新券を投出部５９０へ搬送する。第１搬送部５２１と第２搬送部５２２は、投出部５９０の近傍の搬送路５２０ａが共通する。
【０１４６】
読取部５３０は、投入部５１０と一時保留部５４０の間の第１搬送部５２１に設けられる。読取部５３０は、カメラまたはラインセンサを含み、一時保留部５４０へと搬送される特定有価媒体を撮像して、その画像を読み取り、その画像のデータを取得する。読取部５３０は、特定有価媒体の表面と裏面の双方の画像を読み取れるようになっている。
【０１４７】
筐体５００内（後面側）において、上から順に、一時保留部５４０、有価証券収納部５５０、第１損券収納部５６０および第２損券収納部５７０が配置される。
【０１４８】
一時保留部５４０は、投入部５１０に投入された特定有価媒体を一時的に保留する。一時保留部５４０は、テープ巻取り方式の保留部であり、正転および逆転が可能なドラム５４１を有し、このドラム５４１に一対のテープが巻き取られる構成とされる。ドラム５４１が正転すると、第１搬送部５２１で搬送されてきた特定有価媒体が、一枚ずつ一対のテープの間に挟まれた状態で、順次、ドラム５４１に巻き取られる。これにより、特定有価媒体が、順次、一時保留部５４０に保留される。一方、ドラム５４１が逆転すると、巻き取られた特定有価媒体が一枚ずつ一時保留部５４０から第１搬送部５２１へ繰り出される。
【０１４９】
有価証券収納部５５０は、小切手等の特定の有価証券を収納する。有価証券収納部５５０は、第１収納部５５１、第２収納部５５２および第３収納部５５３から構成される。これら収納部５５１、５５２、５５３は、スタッカ方式の収納部であり、第１搬送部５２１から送出された小切手等が上下に積み重ねられる構成とされる。たとえば、第１収納部５５１には、貨幣処理システム１が設置された銀行と同じ銀行における他の支店で発行された小切手等が収納され、第２収納部５５２には、貨幣処理システム１が設置された銀行の近辺の場所で発行された小切手等が収納され、第３収納部５５３には、貨幣処理システム１が設置された銀行から遠方の場所で発行された小切手等が収納される。なお、本実施形態では、各収納部５５１、５５２、５５３に繰出機構が設けられていないため、収納された小切手等を第１搬送部５２１へ繰り出すことができない。しかしながら、各収納部５５１、５５２、５５３に繰出機構を設けて、収納された小切手等を第１搬送部５２１へ繰り出せるようにしてもよい。
【０１５０】
第１損券収納部５６０および第２損券収納部５７０は、損券、損傷券および旧券（以下、「損券等」という）を収納する。第１損券収納部５６０は、スタッカ方式の収納部であり、第１搬送部５２１から送出された損券等が上下に積み重ねられる構成とされる。第１損券収納部５６０には繰出機構が設けられており、この繰出機構によって、収納された損券等が上から順に一枚ずつ第１搬送部５２１へ繰り出される。一方、第２損券収納部５７０は、テープ巻取り方式の収納部であり、正転および逆転が可能なドラム５７１を有し、このドラム５７１に一対のテープが巻き取られる構成とされる。ドラム５７１が正転すると、第１搬送部５２１で搬送されてきた損券等が、一枚ずつ一対のテープの間に挟まれた状態で、順次、ドラム５７１に巻き取られる。これにより、損券等が、順次、第２損券収納部５７０に収納される。一方、ドラム５７１が逆転すると、巻き取られた損券等が一枚ずつ第２損券収納部５７０から第１搬送部５２１へ繰り出される。
【０１５１】
筐体５００内において、一時保留部５４０、有価証券収納部５５０、第１損券収納部５６０および第２損券収納部５７０の前方に、新券収納部５８０が配置される。
【０１５２】
新券収納部５８０は、新券を収納する。新券収納部５８０は、第１収納部５８１、第２収納部５８２、第３収納部５８３および第４収納部５８４から構成される。これら収納部５８１、５８２、５８３、５８４が有する繰出機構５８１ａ、５８２ａ、５８３ａ、５８４ａによって、収納部５８１、５８２、５８３、５８４内の新券が一枚ずつ第２搬送部５２２に繰り出される。たとえば、第１収納部５８１には、１万円の新券が収納され、第２収納部５８２には、千円の新券が収納され、第３収納部５８３には、５千円の新券が収納される。また、第４収納部５８４に収納される新券については、操作者が選択できる。
【０１５３】
第２搬送部５２２には、簡易識別部５２３が配置される。簡易識別部５２３は、第２搬送部５２２で搬送される新券の金種のみの識別を行う。
【０１５４】
投出部５９０は、搬送部５２０に接続される。投出部５９０には、第１搬送部５２１で送られてきた損券等や第２搬送部５２２で送られてきた新券が積み重ねられた状態で投出される。投出部５９０には、羽根車５９１が設けられ、搬送部５２０で送られてきた損券等や新券は、これらが羽根車５９１の一対の羽根の間に挟まれた状態で羽根車５９１が図１４における反時計回りの方向へ回転することにより、投出部５９０に送られる。また、投出部５９０には、取出し検出部５９２が設けられる。取出し検出部５９２は、たとえば、発光素子と受光素子とからなり、投出部５９０から損券等や新券が取り出されると発光素子から光が受光素子に到達するようになることで、損券等や新券が取り出されたことを検出する。
【０１５５】
筐体５００の前面には、投出部５９０の前方に、投出部５９０の開閉を行うシャッター５０１が設けられる。また、筐体５００の前面には、扉５０２が設けられる。特定の権限を有する者が、この扉５０２を開けて筐体５００の内部にアクセスできる。これにより、新券収納部５８０に新券を補充したり、新券収納部５８０から新券を取り出したりできる。さらには、有価証券収納部５５０から特定の有価証券を取り出すことができる。
【０１５６】
図１５は、有価媒体処理装置６の主たる構成を示すブロック図である。
【０１５７】
有価媒体処理装置６は、上述した各部５１０〜５９０の他、制御部６１０、記憶部６２０および通信部６３０を備える。
【０１５８】
制御部６１０は、ＣＰＵ（Central Processing Unit）等の演算回路を備え、記憶部６２０に記憶されたプログラムに従って、各部６１０〜６９０を制御する。読取部５３０により取得された特定有価媒体の画像のデータは、読取部５３０から制御部６１０へ送られる。
【０１５９】
記憶部６２０は、ＲＯＭ（Read Only Memory）、ＲＡＭ（Random Access Memory）やハードディスク等の記憶媒体を備え、制御部６１０の動作プログラムを記憶し、また、制御部６１０の制御処理の際にワーク領域として利用される。
【０１６０】
通信部６３０は、操作端末８の通信部３０４との間で無線方式あるいは有線方式による信号の送受信を行う。
【０１６１】
次に、有価媒体処理装置６へ特殊な紙幣である損券等を入金するための処理について説明する。
【０１６２】
図１６は、損券等の特殊紙幣の入金処理を示すフローチャートである。図１７（ａ）〜（ｃ）は、それぞれ、特殊紙幣の入金処理の際に操作端末８の操作表示部３０１において表示される画面を示す図である。図１６の入金処理は、操作端末８の制御部３０５において実行される。
【０１６３】
特殊紙幣の入金処理において、操作者は、特殊硬貨の場合と同様、まず、図１７（ａ）に示すメニュー画面４１０を操作する。操作者は、領域４１１中の“特殊貨幣”の処理項目を選択した後、領域４１２に含まれた貨幣の種類の中から、処理対象とされる損券／旧券の項目を選択する。損券／旧券の項目がハイライト表示される。さらに、領域４１３に、当該紙幣の入金を行うための有価媒体処理装置６の画像４１３ｂが表示される。その後、操作者は、ボタン４１４を操作する。これにより、図１６に示す処理が開始される。ここでは、複数枚の紙幣が入金されるとして、以下、説明を進める。
【０１６４】
制御部３０５は、操作表示部３０１にセット要求画面４７０を表示させる（Ｓ２０１）。これにより、操作表示部３０１の画面が、図１７（ａ）のメニュー画面４１０から図１７（ｂ）のセット要求画面４７０に切り替わる。
【０１６５】
図１７（ｂ）を参照して、領域４７１には、図１７（ａ）の領域４１１と同様の画像が含まれる。領域４７２には、有価媒体処理装置６の投入部５１０近傍の画像４７２ａが表示される。領域４２３には、有価媒体処理装置６に処理対象の紙幣をセットすること、および、セット完了後にボタン４７４を操作することを促すメッセージ４７３ａが含まれる。操作者は、メッセージ４７３ａを参照して、有価媒体処理装置６の投入部５１０に紙幣を投入し、ボタン４７４を操作する。これにより、図１６のステップＳ２０２の判定がＹＥＳとなる。
【０１６６】
こうして、ステップＳ２０２の判定がＹＥＳとなると、制御部３０５は、有価媒体処理装置６の制御部６１０に対して、入金開始の指示、即ち、紙幣を撮像して一時保留させる指示を送信する（Ｓ２０３）。これにより、有価媒体処理装置６において、投入部５１０から紙幣が全て繰り出され、その表裏が読取部５３０で撮像された後、一時保留部５４０に収納される。撮像された画像のデータが、通信部６３０、３０４を介して、有価媒体処理装置６から操作端末８に送信される。制御部３０５は、受信したデータを、記憶部３０６に記憶させる。
【０１６７】
次に、制御部３０５は、受信した各紙幣の画像と、紙幣画像データベース(図示せず)に保持された基準画像（表面および裏面）とを照合して、各紙幣の画像の刷種および金種を識別する（Ｓ２０４）。紙幣画像データベースは、硬貨画像データベース３０６ａと同様、記憶部３０６に保持されている。基準画像には、刷種と金種が対応付けられている。
【０１６８】
具体的には、制御部３０５は、各紙幣の画像について、マッチング度合いが所定の閾値以上で且つ最高の基準画像を紙幣画像データベースから抽出し、この基準画像に対応付けられた刷種および金種を、当該紙幣の画像に割り当てる。また、マッチング度合いが閾値以上の基準画像がない硬貨の画像については、刷種と金種が不明との識別結果が割り当てられる。
【０１６９】
こうして各紙幣の画像について刷種および金種を識別した後、制御部３０５は、図１７（ｃ）に示す入金処理画面４８０を、操作表示部３０１に表示させる（Ｓ２０５）。
【０１７０】
図１７（ｃ）を参照して、入金処理画面４８０は、領域４８１、４８２と、ボタン４８３とを含んでいる。領域４８１には、紙幣の入金枚数４８１ａと内訳４８１ｂが表示される。また、領域４８１に、ボタン４８３が配置される。領域４８２には、表裏一組の紙幣の画像４８２ａが上下方向に並ぶように表示される。
【０１７１】
各紙幣の画像４８２ａの直ぐ横の位置に、各紙幣の刷種を示す刷種項目４８２ｂと金種を示す金種項目４８２ｃとが上下に並んで表示される。これら項目４８２ｂ、４８２ｃは、紙幣に係る情報の一つである刷種と金種を入力するために制御部３０５に設定された入力領域である。入金処理画面４８０の表示開始時には、図１６のステップＳ２０４で識別された各紙幣の画像４８２ａの刷種および金種が、最初の候補として、それぞれ刷種項目４８２ｂおよび金種項目４８２ｃに表示される。ステップＳ２０４で刷種および金種が不明と判定された紙幣の画像４８２ａには、“？”の記号が刷種項目４８２ｂおよび金種項目４８２ｃに表示される。金種ごとに枚数が計数され、計数結果が、内訳４８１ｂとして、領域４８１に表示される。また、領域４８１には、内訳４８１ｂとして、金種が不明の紙幣の枚数も表示される。なお、領域４８１に、合計金額が表示されてもよい。ユーザは、領域４４２に設けられスクロールバー４８２ｄを操作して紙幣の画像４８２ａと刷種項目４８２ｂおよび金種項目４８２ｃとの組を上下方向に移動させることにより、それまで表示されていない組を入金処理画面４８０上に表示できる。
【０１７２】
なお、刷種項目４８２ｂおよび金種項目４８２ｃは、必ずしも、各画像４８２ａの直ぐ横に配置されなくてもよく、画像４８２ａに対応付けられた形態であれば、他の位置に配置されてもよい。
【０１７３】
操作者は、刷種項目４８２ｂおよび金種項目４８２ｃに対する操作により、各紙幣の画像４８２ａの刷種および金種を設定（入力）できる。
【０１７４】
図１７（ｄ）は、入金処理画面４８０において、刷種項目４８２ｂおよび金種項目４８２ｃに対するドラッグの操作がなされたときの刷種および金種の変化について説明するための図である。
【０１７５】
たとえば、刷種および金種が不明と識別された画像４８２ａに対して刷種および金種を設定する場合、操作者は、まず、設定対象の画像４８２ａに対応付けられた刷種項目４８２ｂに指でタッチし、そのまま指を下方にドラッグ（スライド）させる。これにより、図１７（ｄ）に示すように、ドラッグの距離に応じて、刷種項目４８２ｂに表示される刷種が、新しい刷種から古い刷種への方向に変化する。指を逆方向（上方）にドラッグさせると、刷種の変化が反転する。操作者は、画像４８２ａに対応する刷種が刷種項目４８２ｂに表示されるまで指をドラッグさせ、対応する刷種が表示されると指を画面から離す。これにより、刷種項目４８２ｂに刷種が設定される。
【０１７６】
次に、操作者は、設定対象の画像４８２ａに対応付けられた金種項目４８２ｃに指でタッチし、そのまま指を下方にドラッグ（スライド）させる。これにより、図１７（ｄ）に示すように、ドラッグの距離に応じて、金種項目４８２ｃに表示される金種が、高い金種から安い金種への方向に変化する。このとき、金種項目４８２ｃに表れる金種は、刷種項目４８２ｂに示された刷種に応じたものとなる。指を逆方向（上方）にドラッグさせると、金種の変化が反転する。操作者は、画像４８２ａに対応する金種が金種項目４８２ｃに表示されるまで指をドラッグさせ、対応する金種が表示されると指を画面から離す。これにより、金種項目４８２ｃに金種が設定される。
【０１７７】
このとき、操作者により刷種および金種が設定された刷種項目４８２ｂおよび金種項目４８２ｃは、図１６のステップＳ２０４で刷種および金種が識別された刷種項目４８２ｂおよび金種項目４８２ｃと区別可能な形態で表示される。たとえば、操作者により金種が設定された刷種項目４８２ｂおよび金種項目４８２ｃは、他の刷種項目４８２ｂおよび金種項目４８２ｃ（刷種および金種が不明な項目、刷種および金種が識別された項目）とは異なる色が付されて表示される。なお、刷種および金種が不明な刷種項目４８２ｂおよび金種項目４８２ｃが、刷種および金種が識別された刷種項目４８２ｂおよび金種項目４８２ｃと異なる形態、たとえば、異なる色で表示されるようにしてもよい。
【０１７８】
操作者は、刷種および金種が不明と識別された他の画像４８２ａについても、同様の操作により刷種および金種を設定する。また、操作者は、図１６のステップＳ２０４で刷種および金種が識別された刷種項目４８２ｂおよび金種項目４８２ｃについても、適宜、上記と同様の操作により、刷種および金種を修正する。こうして、各画像４８２ａの刷種および金種が操作者により設定されると、これに応じて、領域４８１に表示される内訳４８１ｂの紙幣枚数が更新される。
【０１７９】
なお、刷種および金種の候補を変化させる方法は、ドラッグの操作に限られるものではない。たとえば、刷種項目４８２ｂおよび金種項目４８２ｃをタップするごと、あるいはフリックするごとに刷種および金種の候補が変化する構成であってもよい。また、刷種および金種を選択入力している際に、その刷種および金種の正常な紙幣のサンプル画像が入金処理画面４８０に重なるように表示されてもよい。
【０１８０】
図１６に戻り、制御部３０５は、入金処理画面４８０を表示させた後（Ｓ２０５）、金種受付処理（Ｓ２０６）を実行する。金種受付処理（Ｓ２０６）において、制御部３０５は、図１７（ｃ）、（ｄ）で説明したドラッグの操作を受け付け、その操作に従って、上記のように、刷種項目４８２ｂの刷種と金種項目４８２ｃの金種を変更する。
【０１８１】
図１７（ｃ）の入金処理画面４８０において、操作者により、全ての紙幣の画像４８２ａに対して刷種および金種が設定され、その後、処理を確定させるボタン４８３が操作されると（Ｓ２０７：ＹＥＳ）、制御部３０５は、入金確定処理を実行する（Ｓ２０８）。入金確定処理において、制御部３０５は、各紙幣の画像４８２ａと刷種項目４８２ｂおよび金種項目４８２ｃに設定された刷種および金種とを対応付けて、記憶部３０６に記憶させる。このとき同時に、制御部３０５は、領域４４１に示された入金結果である内訳４８１ｂを記憶部３０６に記憶させる。
【０１８２】
こうして、入金確定処理を完了すると、制御部３０５は、通信部３０４を介して、処理の完了を示す通知を有価媒体処理装置６に送信する。これに応じて、有価媒体処理装置６の制御部６１０は、一時保留部５４０に収納された紙幣を、第１損券収納部５６０および第２損券収納部５７０に移送し、収納させる。これにより、紙幣の入金処理が終了する。
【０１８３】
本実施形態の構成によれば、上記第１実施形態と同様、操作者は、複数の紙幣の画像に対する金種の入力を一つの入金処理画面４８０上で行うことができる。これにより、操作者は、紙幣の入金操作を円滑に行え、入金時間も短縮できる。
【０１８４】
また、操作者は、紙幣の画像４８２ａに対応付けられた刷種項目４８２ｂおよび金種項目４８２ｃを容易に認識できる。
【０１８５】
さらに、操作者は、候補の中からの選択により刷種および金種を容易に入力できる。また、操作者は、入力された刷種および金種を刷種項目４８２ｂおよび金種項目４８２ｃにおいて確認できる。
【０１８６】
さらに、最初の候補の刷種および金種が、対応する画像４８２ａの刷種および金種に適合している場合に、操作者は、その画像４８２ａについての刷種および金種を入力しなくて済む。よって、操作者は、紙幣の入金操作を一層円滑に行え、入金時間も一層短縮できる。
【０１８７】
以上、本発明の実施形態について説明したが、本発明は、上記実施形態によって何ら制限されるものではなく、また、本発明の実施形態も、上記以外に種々の変更が可能である。
【０１８８】
＜変更例１＞
図１８（ａ）〜（ｄ）は、変更例１に係る、特殊硬貨の入力処理において操作表示部３０１に表示される入金処理画面４４０が、処理の進行に応じて遷移する様子を示す図である。
【０１８９】
上記第１実施形態では、画像の切り出し（Ｓ１０６）、硬貨の重なり判定、切り出した画像の歪み補正および金種の識別（Ｓ１０７）の４つの処理が順次行われ、これらの処理が全て終了した後に、Ｓ１１１で操作表示部３０１に入金処理画面４４０が表示された。
【０１９０】
これに対し、本変更例では、上記４つの処理が終了する前に操作表示部３０１に入金処理画面４４０が表示され、一つ処理が終わるたびに画面の内容が更新される。
【０１９１】
まず、制御部３０５は、画像の切り出しの処理が終了すると、図１８（ａ）のように、領域４４２に、切り出された画像４４２ｃと項目４４２ｄとを表示させる。このとき、切り出された画像４４２ｃは、歪んだ状態となる。また、全ての項目４４２ｄに“？”の記号が表示される。さらに、制御部３０５は、領域４４３に、硬貨の重なり判定の処理の進行具合を示すプログレスバー４４３ｄを表示させる。やり直しのボタン４４５および確定のボタン４４６は未だ表示されず、領域４４１に入金結果４４１ａ、４４１ｂも表示されない。この段階で、制御部３０５は、項目４４２ｄに対する操作の受け付けを開始する。
【０１９２】
次に、制御部３０５は、硬貨の重なり判定の処理が終了すると、図１８（ｂ）のように、領域４４３に、硬貨の側面画像４４３ａ、４４３ｂを表示させる。さらに、制御部３０５は、硬貨の重なりが検出された場合は、ボタン４４３ｃを表示させ、このボタン４４３ｃに対する操作の受け付けを開始する。
【０１９３】
次に、制御部３０５は、画像の歪み補正の処理が終了すると、図１８（ｃ）のように、歪んだ画像４４２ｃを歪み補正後の画像４４２ｃに差し替える。このとき、歪み補正が終わった画像４４２ｃから、順次、画像の差し替えが行われる。
【０１９４】
最後に、制御部３０５は、金種の識別の処理が終了すると、図１８（ｄ）のように、金種が識別できた画像４４２ｃに対応する項目４４２ｄに金種を表示させる。このとき、識別が終わった画像４４２ｃから、順次、金種の表示が行われる。これにより、操作者のストレスが軽減される。なお、金種の識別の前に項目４４２ｄに対する操作が行われ、金種が設定された画像４４２ｃについては、金種の識別は行われない。制御部３０５は、やり直しのボタン４４５および確定のボタン４４６を表示させて、これらボタン４４５、４４６に対する操作の受け付けを開始する。さらに、制御部３０５は、領域４４１に入金結果４４１ａ、４４１ｂを表示させる。
【０１９５】
このように、本変更例によれば、画像の切り出し、硬貨の重なり判定、切り出した画像の歪み補正および金種の識別の４つの処理が全て終了しなくとも、入金処理画面４４０での金種の入力を行うことができ、また、硬貨の重なりがあったときに硬貨のセットのやり直しを行うことができる。よって、入金処理画面４４０の表示を待つことで生じる操作者のストレスが軽減される。
【０１９６】
＜変更例２＞
図１９（ａ）は、変更例２に係る、特殊硬貨の入金処理において操作表示部３０１に表示される入金処理画面４４０を示す図である。
【０１９７】
本変更例では、金種を設定（入力）するための操作が、上記第１実施形態と異なる。即ち、入金処理画面４４０において、硬貨の画像に対応付けられた項目４４２ｄにタッチされると、制御部３０５は、入金処理画面４４０に重ねてウィンドウ４４７を立ち上げる。ウィンドウ４４７には、金種の候補４４７ａが、上から下に所定の順番、たとえば、安い金種の順番に並ぶように配置される。候補４４７ａの金種の一つがタッチされると、制御部３０５は、タッチされた候補４４７ａの金種を、その画像４４２ｃの金種に設定する。ウィンドウ４４７内の候補４４７ａの並びは、現在、項目４４２ｄに示されている金種（図９のＳ１０６で識別された金種）に関係なく、一定とされる。
【０１９８】
図１９（ｂ）〜（ｄ）は、変更例２に係る、ウィンドウ４４７の他の例を示す図である。
【０１９９】
図１９（ｂ）に示すように、ウィンドウ４４７内の候補４４７ａの並びが、硬貨の画像に基づく金種の識別結果に応じて変更されてもよい。この場合、制御部３０５は、ウィンドウ４４７内において、識別結果からその画像の金種である可能性の高い金種を、選択順の上位の候補４４７ａとして、ウィンドウ４４７内の候補４４７ａの並び順における上位の位置（上側の位置）に配置させる。
【０２００】
たとえば、ウィンドウ４４７において、硬貨の画像に基づいて識別された金種が最上位の候補４４７ａとして最上位の位置に配置され、以下は、形状、寸法、模様等を加味して識別された金種により近いと判断される金種から順に上位の位置に配置される。このようにすれば、操作者は、金種の設定（入力）を素早く行うことが可能となる。
【０２０１】
また、図１９（ｃ）、（ｄ）に示すように、制御部３０５は、ウィンドウ４４７内において、金種の識別結果からその画像の金種である可能性が高い金種を、選択順の上位の候補４４７ａとし、その候補４４７ａが強調されるような表示を行ってもよい。
【０２０２】
たとえば、図１９（ｃ）のように、上位の候補４４７ａの色が他の候補４４７ａと異なるようにされてもよい。複数の上位の候補４４７ａが強調される場合、順位に応じて色が変えられてもよい。また、図１９（ｄ）のように、上位の候補４４７ａに、それがわかる印、たとえば、星印が付されるようにされてもよい。複数の上位の候補４４７ａが強調される場合、順位に応じて印の数が変えられてもよい。また、順位に応じて印の種類が変えられてもよい。このようにすれば、操作者は、金種の設定（入力）を素早く行うことが可能となる。
【０２０３】
なお、上記第２実施形態の入金処理画面４８０において、紙幣の画像に対応付けられた刷種項目４８２ｂおよび金種項目４８２ｃにタッチされると、それぞれ、入金処理画面４４０に重ねて、図１９（ａ）〜(ｄ)のウィンドウ４４７と同様の、刷種および金種を選択するためのウィンドウが表示されてもよい。
【０２０４】
また、上記第１実施形態の入金処理画面４４０のように、ドラッグの操作により項目４４２ｄの金種が変化する入力方法の場合に、図１９（ｂ）と同様、変化する順番が、硬貨の画像に基づく金種の識別結果に応じて変更されてもよい。即ち、ドラッグの長さに応じて、その画像の金種である可能性の金種から順に、選択順が上位の候補として、項目４４２ｄに表示されてもよい。このようにすれば、操作者は、金種の設定（入力）を素早く行うことが可能となる。
【０２０５】
＜変更例３＞
図２０は、変更例３に係る、特殊硬貨の入金処理において操作表示部３０１に表示される入金処理画面４６０を示す図である。
【０２０６】
図９に示す特殊硬貨の入金処理のＳ１１１において、制御部３０５は、図２０に示す入金処理画面４６０を表示させてもよい。制御部３０５は、図９のＳ１０６において撮像画像から硬貨の画像を抽出するが、画像の切り取りと歪み補正は行わず、入金処理画面４６０において、カメラ５１の撮像画像の全体を表示させ、抽出した硬貨の画像４６１を丸印４６２で囲み、画像４６１の近傍にその画像４６１の金種を示す項目４６３を表示させる。操作者は、上記第１実施形態の入金処理画面４４０と同様の操作を項目４６３に対して行うことにより、項目４６３の金種を変更できる。
【０２０７】
なお、硬貨として認識されず、抽出されなかった硬貨の画像４６１には、丸印４６２がつかず、項目４６３が付加されない。抽出されなかった硬貨の画像４６１がタップされると、タップ位置を中心に硬貨が存在すると見做され、その硬貨の画像４６１の近傍に項目４６３が表示される。
【０２０８】
入金処理画面４６０には、やり直しのボタン４６４および確定のボタン４６５の他、入金結果のボタン４６６が表示される。入金結果のボタン４６６が操作されると、入金結果のウィンドウ（図示せず）が入金処理画面４６０に重ねて表示される。入金結果のウィンドウには、記念貨の金種毎の枚数と、損貨の金種毎の枚数とが表示される。
【０２０９】
入金処理画面４６０において、ボタン４６５が操作されると、抽出された各硬貨の画像が切り取られて歪み補正がなされた後、金種に紐づけて記憶部３０６に記憶される。
【０２１０】
本変更例では、入金処理画面４６０上で、硬貨として認識されていない硬貨の画像４６１の存在を容易に把握できる。
【０２１１】
＜その他の変更例＞
上記第１実施形態では、特殊硬貨処理装置７は、複数枚の損貨が第１載置領域２１に載置され、複数枚の記念貨が第２載置領域２２に載置され、これら第１載置領域２１の複数枚の損貨と第２載置領域２２の複数枚の記念貨とが、カメラ５１により同時に撮像される構成とされた。しかしながら、特殊硬貨処理装置７は、投入部に投入された複数枚の硬貨（損貨、記念貨）が、一枚ずつ繰り出されてカメラ５１により撮像されるような構成とされてもよい。この場合、繰り出されて搬送部を移動する硬貨をラインセンサにより撮像するようにしてもよい。同様に、上記第２実施形態では、有価媒体処理装置６は、投入部５１０に投入された複数枚の紙幣（損券、旧券）が、一枚ずつ繰り出されて読取部５３０(カメラ、ラインセンサ)により撮像される構成とされた。しかしながら、複数枚の紙幣が載置領域に載置され、載置領域の複数枚の紙幣が、カメラにより同時に撮像されるような構成とされてもよい。この場合、図１６の処理において、複数の紙幣の画像を含む撮像画像から、各紙幣の画像を切り出す処理と、切り出した画像の歪みを補正する処理とが追加される。
【０２１２】
また、上記第１実施形態では、項目４４２ｄに金種を入力する方法として、複数の候補の中から適合するものを選択する方法が採られた。しかしながら、入力方法は、これに限られるものではなく、たとえば、操作表示部３０１に表示されるキーボートやテンキーにより、文字や数字で金種が直接入力されてもよい。同様に、上記第２実施形態において、刷種項目４８２ｂの刷種および金種項目４８２ｃの金種が、キーボートやテンキーにより、文字や数字で直接入力されてもよい。
【０２１３】
また、上記第１実施形態および上記第２実施形態では、操作端末８は、タッチパネルを備える操作表示部３０１を備えた。しかしながら、操作端末８に、操作表示部３０１に替えて、ディスプレイ、キーボードおよびマウスが備えられてもよい。
【０２１４】
また、上記第２実施形態では、読取部５３０により紙幣の表面および裏面が撮像され、それらの画像が入金処理画面４８０に配置された。しかしながら、読取部５３０により紙幣の表面のみが撮像され、その画像が入金処理画面４８０に配置されるようにしてもよい。
【０２１５】
また、上記第２実施形態において、紙幣の重なりの有無が判定され、紙幣の重なりがあるときに、入金処理画面４８０に、紙幣の重なりがあることを示す画像の表示がなされてもよい。たとえば、紙幣の重なりを検出するため、一枚の紙幣の内部を透過できる強さの光を発光する発光素子と、紙幣を通過した光を受光する受光素子とが第１搬送部５２１に設けられる。発光素子からの光を受光素子が受光しない場合、紙幣の重なりがあると判定できる。
【０２１６】
また、上記第１実施形態では、操作表示部３０１が特殊硬貨処理装置７と別体であり、操作端末８の制御部３０５により図９の処理が行われた。しかしながら、操作表示部３０１が特殊硬貨処理装置７に一体的に設けられ、図９の処理が、特殊硬貨処理装置７側の制御部２０５によって行われてもよい。この構成では、特殊硬貨処理装置７が、特許請求の範囲に記載の貨幣処理装置に対応する。
【０２１７】
この場合、特殊硬貨処理装置７は、たとえば、図２１のように構成される。特殊硬貨処理装置７は、ディスプレイ２０７ａおよびタッチセンサ２０７ｂからなる操作表示部２０７を備える。記憶部２０６は、図８に示した硬貨画像データベース３０６ａと同様の硬貨画像データベース２０６ａを保持する。
【０２１８】
制御部２０５は、図１０（ａ）〜（ｄ）および図１２の画面を操作表示部２０７に表示させながら、図９の処理を実行する。処理結果に基づく情報は、記憶部２０６に記憶されてもよく、あるいは、操作端末８側に送信されて、操作端末８側の記憶部３０６に記憶されてもよい。
【０２１９】
同様に、操作表示部３０１が有価媒体処理装置６に一体的に設けられ、図１６の処理が、有価媒体処理装置６側の制御部６１０によって行われてもよい。この構成では、有価媒体処理装置６が、特許請求の範囲に記載の貨幣処理装置に対応する。
【０２２０】
また、上記第１実施形態の構成において、図９の処理が、特殊硬貨処理装置７側の制御部２０５によって行われてもよい。この場合、操作端末８の操作表示部３０１は、単に、画面の表示および操作入力の受け付けのために用いられる。この場合も、特殊硬貨処理装置７の記憶部２０６には、図２１の場合と同様、硬貨画像データベース２０６ａが保持される。この他、図９の処理が、特殊硬貨処理装置７側の制御部２０５と操作端末８側の制御部３０５との共同動作により行われてもよい。同様に、上記第２実施形態において、図１６の処理が、有価媒体処理装置６側の制御部６１０によって行われてもよく、有価媒体処理装置６側の制御部６１０と操作端末８側の制御部３０５との共同動作により行われてもよい。
【０２２１】
また、特殊硬貨処理装置７が、タブレット端末やスマートフォンとの通信機能を有し、タブレット端末等の表示機能、操作機能を用いて、特殊硬貨処理装置７への特殊な硬貨の入金処理が行われてもよい。同様に、有価媒体処理装置６が、タブレット端末やスマートフォンとの通信機能を有し、タブレット端末等の表示機能、操作機能を用いて、有価媒体処理装置６への特殊な紙幣の入金処理が行われてもよい。
【０２２２】
また、上記第１実施形態では、図１０（ｄ）に示したボタン４４３ｃによって硬貨の重なりが操作者に報知されたが、重なりの報知の形態はこれに限られるものではない。たとえば、音声やランプの点灯等の他の報知手段によって、硬貨の重なりが操作者に報知されてもよい。
【０２２３】
また、上記第１実施形態では、側面画像の厚みを所定の閾値と比較することにより硬貨の重なりを検出したが、その他の方法で硬貨の重なりを検出することとしてもよい。
【０２２４】
さらに、上記第１実施形態において、特殊硬貨処理装置７に、特殊な硬貨として、外国硬貨を入金できてもよい。また、特殊硬貨および特殊紙幣に限らず、通常の硬貨および紙幣を処理する貨幣処理装置および貨幣処理装置を含む貨幣処理システムに本発明が適用されてもよい。
【０２２５】
また、上記第１実施形態および上記第２実施形態では、貨幣処理システム１が、バラ紙幣処理装置２と、束紙幣処理装置３と、バラ硬貨処理装置４と、包装硬貨処理装置５と、有価媒体処理装置６と、特殊硬貨処理装置７と、操作端末８と、貨幣保管装置９と、を備える構成とされた。しかしながら、本発明は、操作端末８と特殊硬貨処理装置７のみで構成されるなど、少なくとも操作端末８と特殊硬貨処理装置７が含まれる構成の貨幣処理システムに適用でき、また、操作端末８と有価媒体処理装置６のみで構成されるなど、少なくとも操作端末８と有価媒体処理装置６が含まれる構成の貨幣処理システムに適用できる。
【０２２６】
この他、本発明の実施形態は、特許請求の範囲に記載の範囲で適宜変更可能である。
【符号の説明】
【０２２７】
１  貨幣処理システム
６  有価媒体処理装置（貨幣処理装置）
７  特殊硬貨処理装置（貨幣処理装置）
８  操作端末
２１  第１載置領域（載置部）
２２  第２載置領域（載置部）
５１  カメラ（撮像部）
３０１  操作表示部（表示部）
３０５  制御部
３０６  記憶部
４４０  入金処理画面（入力画面）
４４２ｃ  画像
４４２ｄ  項目（入力領域）
４８０  入金処理画面（入力画面）
４８２ａ  画像
４８２ｂ  刷種項目（入力領域）
４８２ｃ  金種項目（入力領域）
５３０  読取部（撮像部）
【図１】
2019212134.tif 000003
【図２】
2019212134.tif 000004
【図３】
2019212134.tif 000005
【図４】
2019212134.tif 000006
【図５】
2019212134.tif 000007
【図６】
2019212134.tif 000008
【図７】
2019212134.tif 000009
【図８】
2019212134.tif 000010
【図９】
2019212134.tif 000011
【図１０】
2019212134.tif 000012
【図１１】
2019212134.tif 000013
【図１２】
2019212134.tif 000014
【図１３】
2019212134.tif 000015
【図１４】
2019212134.tif 000016
【図１５】
2019212134.tif 000017
【図１６】
2019212134.tif 000018
【図１７】
2019212134.tif 000019
【図１８】
2019212134.tif 000020
【図１９】
2019212134.tif 000021
【図２０】
2019212134.tif 000022
【図２１】
2019212134.tif 000023